(57)【特許請求の範囲】
【請求項１】
複数の走査線からなる映像信号を含むテレビジョン信号を処理するテレビジョン信号処理装置において、
前記映像信号の所定のフィールドの所定の走査線の搬送色信号を抽出する抽出手段と、
第１の走査線の第１の搬送色信号と、前記第１の走査線に隣接する第２の走査線の第２の搬送色信号との相関性に基づいて、クラスコードを生成するクラスコード生成手段と、
前記クラスコードに基づいて、そのクラスに対応する係数のセットを発生する係数発生手段と、
前記発生された係数のセットと前記映像信号とから、ジッタ補正がなされた映像信号を生成する映像信号生成手段と
を備え、
前記クラスコード生成手段は、前記第１の走査線の第１の搬送色信号と、前記第１の走査線に隣接する前記第２の走査線の第２の搬送色信号との相関値を演算する演算手段を備え、
前記演算手段は、前記第２の走査線の第２の搬送色信号の代りに、前記映像信号生成手段によって生成された前記ジッタ補正された映像信号の第１の走査線の第１の搬送色信号を用いて前記相関値を演算する
ことを特徴とするテレビジョン信号処理装置。
【請求項２】
前記係数発生手段は、
クラス毎に係数のセットを記憶する記憶手段と、
前記クラスコードに基づいて、そのクラスコードに対応する係数のセットを読み出す読み出し手段と
を有することを特徴とする請求項１に記載のテレビジョン信号処理装置。
【請求項３】
前記クラス毎の係数のセットは、少なくとも学習用のテレビジョン信号を用いて、予め学習によって生成されている
ことを特徴とする請求項２に記載のテレビジョン信号処理装置。
【請求項４】
前記クラス毎の係数のセットは、所定の学習期間に学習によって使用されたテレビジョン信号の映像信号に基づいて、最小自乗法を用いて生成されている
ことを特徴とする請求項３に記載のテレビジョン信号処理装置。
【請求項５】
前記クラスコード生成手段は、少なくとも注目画素に対するクラスコードを生成し、
前記映像信号生成手段は、発生された係数のセットと少なくとも注目画素を含む所定のフィールドの走査線上の複数の画素との線形１次結合によって、前記少なくとも注目画素に対する前記ジッタ補正された映像信号を生成する
ことを特徴とする請求項１に記載のテレビジョン信号処理装置。
【請求項６】
前記クラスコード生成手段は、
演算された前記相関値を量子化し、量子化コードをクラスコードとして発生する量子化手段をさらに有する
ことを特徴とする請求項１に記載のテレビジョン信号処理装置。
【請求項７】
前記演算手段は、映像信号の所定のフィールドの第１番目の走査線を除く走査線に対して、前記映像信号生成手段によって生成された前記ジッタ補正された映像信号の第１の走査線の第１の搬送色信号を用いて前記相関値を演算する
ことを特徴とする請求項１に記載のテレビジョン信号処理装置。
【請求項８】
前記抽出手段は、所定の数の連続した複数の画素に対応する前記映像信号の平均値から、前記複数の画素の所定の画素に対応する前記映像信号の値を減算することにより、前記搬送色信号を抽出する
ことを特徴とする請求項１に記載のテレビジョン信号処理装置。
【請求項９】
前記第２の走査線は、前記第１の走査線を１ライン遅延させた走査線である
ことを特徴とする請求項１に記載のテレビジョン信号処理装置。
【請求項１０】
複数の走査線からなる映像信号を含むテレビジョン信号を処理するテレビジョン信号処理方法において、
前記映像信号の所定のフィールドの所定の走査線の搬送色信号を抽出する抽出ステップと、
第１の走査線の第１の搬送色信号と、前記第１の走査線に隣接する第２の走査線の第２の搬送色信号との相関性に基づいて、クラスコードを生成するクラスコード生成ステップと、
前記クラスコードに基づいて、そのクラスに対応する係数のセットを発生する係数発生ステップと、
前記発生された係数のセットと前記映像信号とから、ジッタ補正がなされた映像信号を生成する映像信号生成ステップと
を含み、
前記クラスコード生成ステップの処理においては、前記第１の走査線の第１の搬送色信号と、前記第１の走査線に隣接する前記第２の走査線の第２の搬送色信号との相関値の演算であって、
前記第２の走査線の第２の搬送色信号の代りに、前記映像信号生成ステップの処理によって生成された前記ジッタ補正された映像信号の第１の走査線の第１の搬送色信号を用いた前記相関値の演算が行われる
ことを特徴とするテレビジョン信号処理方法。
【請求項１１】
複数の走査線からなる映像信号を含むテレビジョン信号を処理するテレビジョン信号処理装置に用いるプログラムが記録された記録媒体において、
前記映像信号の所定のフィールドの所定の走査線の搬送色信号を抽出する抽出ステップと、
第１の走査線の第１の搬送色信号と、前記第１の走査線に隣接する第２の走査線の第２の搬送色信号との相関性に基づいて、クラスコードを生成するクラスコード生成ステップと、
前記クラスコードに基づいて、そのクラスに対応する係数のセットを発生する係数発生ステップと、
前記発生された係数のセットと前記映像信号とから、ジッタ補正がなされた映像信号を生成する映像信号生成ステップと
を含み、
前記クラスコード生成ステップの処理においては、前記第１の走査線の第１の搬送色信号と、前記第１の走査線に隣接する前記第２の走査線の第２の搬送色信号との相関値の演算であって、
前記第２の走査線の第２の搬送色信号の代りに、前記映像信号生成ステップの処理によって生成された前記ジッタ補正された映像信号の第１の走査線の第１の搬送色信号を用いた前記相関値の演算が行われる
ことを特徴とする記録媒体。
【請求項１２】
複数の走査線からなる映像信号を含むテレビジョン信号を処理するテレビジョン信号処理装置において、
前記映像信号の所定のフィールドの所定の走査線の輝度信号を抽出する抽出手段と、
第１の走査線の第１の輝度信号と、前記第１の走査線に隣接する第２の走査線の第２の輝度信号との間の動き量に基づいて、クラスコードを生成するクラスコード生成手段と、
前記クラスコードに基づいて、そのクラスに対応する係数のセットを発生する係数発生手段と、
前記発生された係数のセットと前記映像信号とから、ジッタ補正がなされた映像信号を生成する映像信号生成手段と
を備え、
前記クラスコード生成手段は、前記第２の走査線の第２の輝度信号の代りに、前記映像信号生成手段によって生成された前記ジッタ補正された映像信号の第１の走査線の第１の輝度信号を用いて前記動き量を演算する
ことを特徴とするテレビジョン信号処理装置。
【請求項１３】
前記係数発生手段は、
クラス毎に係数のセットを記憶する記憶手段と、
前記クラスコードに基づいて、そのクラスコードに対応する係数のセットを読み出す読み出し手段と
を有することを特徴とする請求項１２に記載のテレビジョン信号処理装置。
【請求項１４】
前記クラス毎の係数のセットは、少なくとも学習用のテレビジョン信号を用いて、予め学習によって生成されている
ことを特徴とする請求項１３に記載のテレビジョン信号処理装置。
【請求項１５】
前記クラス毎の係数のセットは、所定の学習期間に学習によって使用されたテレビジョン信号の映像信号に基づいて、最小自乗法を用いて生成されている
ことを特徴とする請求項１４に記載のテレビジョン信号処理装置。
【請求項１６】
前記クラスコード生成手段は、少なくとも注目画素に対するクラスコードを生成し、
前記映像信号生成手段は、発生された係数のセットと少なくとも注目画素を含む所定のフィールドの走査線上の複数の画素との線形１次結合によって、前記少なくとも注目画素に対する前記ジッタ補正された映像信号を生成する
ことを特徴とする請求項１２に記載のテレビジョン信号処理装置。
【請求項１７】
前記クラスコード生成手段は、第１の走査線の第１の輝度信号と、
前記第１の走査線に隣接する第２の走査線の第２の輝度信号との間の動き量を検出する検出手段を有し、前記検出された動き量に基づいて、前記クラスコードを発生する
ことを特徴とする請求項１２に記載のテレビジョン信号処理装置。
【請求項１８】
前記抽出手段は、輝度信号を抽出するＹ／Ｃ分離手段を有する
ことを特徴とする請求項１２に記載のテレビジョン信号処理装置。
【請求項１９】
前記第２の走査線は、前記第１の走査線を１ライン遅延させた走査線である
ことを特徴とする請求項１２に記載のテレビジョン信号処理装置。
【請求項２０】
前記クラスコード生成手段は、映像信号の所定のフィールドの第１番目の走査線を除く走査線に対して、前記映像信号生成手段によって生成された前記ジッタ補正された映像信号の第１の走査線の第１の輝度信号を用いて前記動きを演算する
ことを特徴とする請求項１２に記載のテレビジョン信号処理装置。
【請求項２１】
複数の走査線からなる映像信号を含むテレビジョン信号を処理するテレビジョン信号処理方法において、
前記映像信号の所定のフィールドの所定の走査線の輝度信号を抽出する抽出ステップと、
第１の走査線の第１の輝度信号と、前記第１の走査線に隣接する第２の走査線の第２の輝度信号との間の動き量に基づいて、クラスコードを生成するクラスコード生成ステップと、
前記クラスコードに基づいて、そのクラスに対応する係数のセットを発生する係数発生ステップと、
前記発生された係数のセットと前記映像信号とから、ジッタ補正がなされた映像信号を生成する映像信号生成ステップと
を含み、
前記クラスコード生成ステップの処理においては、前記第２の走査線の第２の輝度信号の代りに、前記映像信号生成ステップの処理によって生成された前記ジッタ補正された映像信号の第１の走査線の第１の輝度信号を用いた前記動き量の演算が行われる
ことを特徴とするテレビジョン信号処理方法。
【請求項２２】
複数の走査線からなる映像信号を含むテレビジョン信号を処理するテレビジョン信号処理装置に用いるプログラムが記録された記録媒体において、
前記映像信号の所定のフィールドの所定の走査線の輝度信号を抽出する抽出ステップと、
第１の走査線の第１の輝度信号と、前記第１の走査線に隣接する第２の走査線の第２の輝度信号との間の動き量に基づいて、クラスコードを生成するクラスコード生成ステップと、
前記クラスコードに基づいて、そのクラスに対応する係数のセットを発生する係数発生ステップと、
前記発生された係数のセットと前記映像信号とから、ジッタ補正がなされた映像信号を生成する映像信号生成ステップと
を含み、
前記クラスコード生成ステップの処理においては、前記第２の走査線の第２の輝度信号の代りに、前記映像信号生成ステップの処理によって生成された前記ジッタ補正された映像信号の第１の走査線の第１の輝度信号を用いた前記動き量の演算が行われる
ことを特徴とする記録媒体。
【発明の詳細な説明】
【０００１】
【発明の属する技術分野】
本発明は、テレビジョン信号処理装置および方法、並びに記録媒体に関し、特に、所定のフィールドを構成する所定の走査線に対応する搬送色信号と、それに隣接する走査線に対応する搬送色信号とで規定される相関を最大にするようなテレビジョン信号を生成することで、時間軸補正（ジッタ除去）を行うようにしたテレビジョン信号処理装置および方法、並びに記録媒体に関する。
【０００２】
【従来の技術】
テレビジョン（ＴＶ）放送局より放送されているテレビジョン（ＴＶ）信号、またはアナログのＶＣＲ(Video Cassette Recorder)で再生されるＴＶ信号には、時間軸変動（ジッタ）が含まれており、ジッタを含むＴＶ信号をモニタにそのまま表示すると、ラインが左右に微動し、良質の画質を得ることができない。
【０００３】
図１３は、ジッタが含まれているＴＶ信号における所定のフィールド内の連続する３ラインの搬送色信号を示している。図１３において、所定の（偶数）フィールドの第１９８ラインの搬送色信号は実線で、第２００ラインの搬送色信号は点線で、第２０２ラインの搬送色信号は一点鎖線で、それぞれ、示してある。
【０００４】
各ラインの搬送色信号の位相は、各ラインの色信号に対応して変調されているため、異なるラインの搬送色信号の位相は、基本的には一致しない。しかしながら、近接するラインにおいては、相関があるため、その相関値は、比較的大きな値となる。しかしながら、ジッタが存在すると、この相関値は小さくなる。
【０００５】
図１３に示した第１９８ラインの搬送色信号と第２０２ラインの搬送色信号の相関値、第１９８ラインの搬送色信号と第２００ラインの搬送色信号の相関値、および第２００ラインの搬送色信号と第２０２ラインの搬送色信号の相関値を求めたところ、それぞれ、0.913390,-0.103358,または-0.104299となった。
【０００６】
第１９８ラインの搬送色信号と第２０２ラインの搬送色信号の相関値が正の値となるのに対し、第１９８ラインの搬送色信号と第２００ラインの搬送色信号の相関値、または第２００ラインの搬送色信号と第２０２ラインの搬送色信号の相関値は負の値となっている。これは、前者が搬送色信号の基準の位相は同じであり、後者の２つは搬送色信号の基準の位相が逆相になっていることによるものである。
【０００７】
相関値は、その絶対値が大きい程、ジッタの影響が少なく、位相が揃っていることを意味する。この例の場合、第１９８ラインと第２００ラインの相関値、および、第２００ラインと第２０２ラインの相関値は、いずれもその絶対値が0.103358または0.104299と小さい。また、第１９８ラインと第２０２ラインの相関値の絶対値は、0.913390と比較的大きいが、まだ十分ではない。
【０００８】
そこで、業務用の機器や、民生用の高級機器においては、ＴＢＣ(Time Base Corrector)を用いて、ジッタを取り除いている。
【０００９】
図１４は、従来のＴＢＣの一例の構成を示すブロック図である。
【００１０】
ＴＶ放送局より放送され、受信されたＴＶ信号、または所定のＶＣＲ、例えば、民生用のＶＣＲの再生によるＴＶ信号は、ＴＢＣ１のＨ/Ｖ同期分離回路１１とＡ/Ｄ変換回路１２に入力される。Ｈ/Ｖ同期分離回路１１は、ＴＶ信号より水平同期（Ｈ）信号と垂直同期（Ｖ）信号を分離し、書き込みクロック発生回路１３に出力する。
【００１１】
書き込みクロック発生回路（ＰＬＬ）１３は、垂直同期信号と水平同期信号に同期した書き込みクロックを生成し、Ａ/Ｄ変換回路１２と書き込みアドレスカウンタ１５に供給する。Ａ/Ｄ変換回路１２は、書き込みクロック発生回路１３より供給された書き込みクロックに同期して、アナログのＴＶ信号をデジタル信号に変換し、メモリ１４に供給する。
【００１２】
書き込みアドレスカウンタ１５は、書き込みクロック発生回路１３より供給された書き込みクロックに同期して所定のカウンタ値を増加させ、このカウンタ値をメモリ１４に供給する。メモリ１４は、Ａ/Ｄ変換回路１２より供給されたデジタル信号を、書き込みアドレスカウンタ１５より供給されたカウンタ値に対応するアドレスに蓄積する。
【００１３】
読み出しクロック発生回路１９は、固定の水晶発振回路などからなり、一定の周波数の読み出しクロックを生成し、Ｄ/Ａ変換回路１６と読み出しアドレスカウンタ１７に供給する。
【００１４】
ジャンプ検出回路１８は、書き込みアドレスと読み出しアドレス（書き込みアドレスカウンタ１５のカウンタ値と読み出しアドレスカウンタ１７のカウンタ値）との差を検出し、その差が所定値（理想的には一定値）の範囲から大きく変化したとき、その差が所定値となるように、読み出しアドレスカウンタ１７を制御する。
【００１５】
読み出しアドレスカウンタ１７は、読み出しクロック発生回路１９より供給されたクロックに同期して所定のカウンタ値を増加させ、メモリ１４に出力する。メモリ１４は、読み出しアドレスカウンタ１７より供給されたカウンタ値に対応するアドレスに蓄積されているデジタル信号を読み出し、Ｄ/Ａ変換回路１６に供給する。メモリ１４より出力されたデジタル信号は、Ｄ/Ａ変換回路１６でアナログ信号に変換された後、図示せぬ所定の信号処理回路に供給される。
【００１６】
このようにして、ＴＶ信号に含まれている同期信号を用いて搬送色信号の位相とロックさせた書き込みクロックを生成し、この書き込みクロックで書き込みを行い、かつ、一定位相の読み出しクロックで読み出しを行うことにより、ジッタを取り除いている。
【００１７】
【発明が解決しようとする課題】
しかしながら、従来、ＴＶ信号に含まれているジッタを軽減する方法としては、上述のような構造のＴＢＣを用いる方法しかなく、選択枝が狭い課題があった。
【００１８】
また、従来、業務用の機器に用いたＴＢＣを民生用の機器に用いる場合、特別な回路（クロマ変換回路等）が必要となり、回路構成が増大するといった課題があった。
【００１９】
本発明はこのような状況に鑑みてなされたものであり、上述の構造を有する従来のＴＢＣを用いずに、ＴＶ信号に含まれているジッタを軽減することができるようにするものである。
【００２０】
【課題を解決するための手段】
請求項１に記載のテレビジョン信号処理装置は、映像信号の所定のフィールドの所定の走査線の搬送色信号を抽出する抽出手段と、第１の走査線の第１の搬送色信号と、第１の走査線に隣接する第２の走査線の第２の搬送色信号との相関性に基づいて、クラスコードを生成するクラスコード生成手段と、クラスコードに基づいて、そのクラスに対応する係数のセットを発生する係数発生手段と、発生された係数のセットと映像信号とから、ジッタ補正がなされた映像信号を生成する映像信号生成手段とを備え、クラスコード生成手段は、第１の走査線の第１の搬送色信号と、第１の走査線に隣接する第２の走査線の第２の搬送色信号との相関値を演算する演算手段を備え、演算手段は、第２の走査線の第２の搬送色信号の代りに、映像信号生成手段によって生成されたジッタ補正された映像信号の第１の走査線の第１の搬送色信号を用いて相関値を演算することを特徴とする。
【００２１】
請求項１０に記載のテレビジョン信号処理方法は、映像信号の所定のフィールドの所定の走査線の搬送色信号を抽出する抽出ステップと、第１の走査線の第１の搬送色信号と、第１の走査線に隣接する第２の走査線の第２の搬送色信号との相関性に基づいて、クラスコードを生成するクラスコード生成ステップと、クラスコードに基づいて、そのクラスに対応する係数のセットを発生する係数発生ステップと、発生された係数のセットと映像信号とから、ジッタ補正がなされた映像信号を生成する映像信号生成ステップとを含み、クラスコード生成ステップの処理においては、第１の走査線の第１の搬送色信号と、第１の走査線に隣接する第２の走査線の第２の搬送色信号との相関値の演算であって、第２の走査線の第２の搬送色信号の代りに、映像信号生成ステップの処理によって生成されたジッタ補正された映像信号の第１の走査線の第１の搬送色信号を用いた相関値の演算が行われることを特徴とする。
【００２２】
請求項１１に記載の記録媒体は、映像信号の所定のフィールドの所定の走査線の搬送色信号を抽出する抽出ステップと、第１の走査線の第１の搬送色信号と、第１の走査線に隣接する第２の走査線の第２の搬送色信号との相関性に基づいて、クラスコードを生成するクラスコード生成ステップと、クラスコードに基づいて、そのクラスに対応する係数のセットを発生する係数発生ステップと、発生された係数のセットと映像信号とから、ジッタ補正がなされた映像信号を生成する映像信号生成ステップとを含み、クラスコード生成ステップの処理においては、第１の走査線の第１の搬送色信号と、第１の走査線に隣接する第２の走査線の第２の搬送色信号との相関値の演算であって、第２の走査線の第２の搬送色信号の代りに、映像信号生成ステップの処理によって生成されたジッタ補正された映像信号の第１の走査線の第１の搬送色信号を用いた相関値の演算が行われることを特徴とする。
【００２３】
請求項１２に記載のテレビジョン信号処理装置は、映像信号の所定のフィールドの所定の走査線の輝度信号を抽出する抽出手段と、第１の走査線の第１の輝度信号と、第１の走査線に隣接する第２の走査線の第２の輝度信号との間の動き量に基づいて、クラスコードを生成するクラスコード生成手段と、クラスコードに基づいて、そのクラスに対応する係数のセットを発生する係数発生手段と、発生された係数のセットと映像信号とから、ジッタ補正がなされた映像信号を生成する映像信号生成手段とを備え、クラスコード生成手段は、第２の走査線の第２の輝度信号の代りに、映像信号生成手段によって生成されたジッタ補正された映像信号の第１の走査線の第１の輝度信号を用いて動き量を演算することを特徴とする。
【００２４】
請求項２１に記載のテレビジョン信号処理方法は、映像信号の所定のフィールドの所定の走査線の輝度信号を抽出する抽出ステップと、第１の走査線の第１の輝度信号と、第１の走査線に隣接する第２の走査線の第２の輝度信号との間の動き量に基づいて、クラスコードを生成するクラスコード生成ステップと、クラスコードに基づいて、そのクラスに対応する係数のセットを発生する係数発生ステップと、発生された係数のセットと映像信号とから、ジッタ補正がなされた映像信号を生成する映像信号生成ステップとを含み、クラスコード生成ステップの処理においては、第２の走査線の第２の輝度信号の代りに、映像信号生成ステップの処理によって生成されたジッタ補正された映像信号の第１の走査線の第１の輝度信号を用いた動き量の演算が行われることを特徴とする。
【００２５】
請求項２２に記載の記録媒体は、映像信号の所定のフィールドの所定の走査線の輝度信号を抽出する抽出ステップと、第１の走査線の第１の輝度信号と、第１の走査線に隣接する第２の走査線の第２の輝度信号との間の動き量に基づいて、クラスコードを生成するクラスコード生成ステップと、クラスコードに基づいて、そのクラスに対応する係数のセットを発生する係数発生ステップと、発生された係数のセットと映像信号とから、ジッタ補正がなされた映像信号を生成する映像信号生成ステップとを含み、クラスコード生成ステップの処理においては、第２の走査線の第２の輝度信号の代りに、映像信号生成ステップの処理によって生成されたジッタ補正された映像信号の第１の走査線の第１の輝度信号を用いた動き量の演算が行われることを特徴とする。
【００２６】
請求項１に記載のテレビジョン信号処理装置、請求項１０に記載のテレビジョン信号処理方法、および請求項１１に記載の記録媒体においては、第１の走査線の第１の搬送色信号と、第１の走査線に隣接する第２の走査線の第２の搬送色信号との相関性に基づいて、クラスコードが生成される。生成されたクラスコードに基づいて、そのクラスに対応する係数のセットが発生され、発生された係数のセットと映像信号とから、ジッタ補正がなされた映像信号が生成される。また、クラスコードの生成においては、第１の走査線の第１の搬送色信号と、第１の走査線に隣接する第２の走査線の第２の搬送色信号との相関値が演算される。その演算は、第２の走査線の第２の搬送色信号の代りに、ジッタ補正された映像信号の第１の走査線の第１の搬送色信号を用いて行われる。
【００２７】
請求項１２に記載のテレビジョン信号処理装置、請求項２１に記載のテレビジョン信号処理方法、および請求項２２に記載の記録媒体においては、第１の走査線の第１の輝度信号と、第１の走査線に隣接する第２の走査線の第２の輝度信号との間の動き量に基づいて、クラスコードが生成される。そして、生成されたクラスに対応する係数のセットが発生され、その係数のセットと映像信号とから、ジッタ補正がなされた映像信号が生成される。また、クラスコードの生成においては、第２の走査線の第２の輝度信号の代りに、ジッタ補正された映像信号の第１の走査線の第１の輝度信号を用いた動き量の演算が行われる。
【００２８】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００２９】
請求項１に記載のテレビジョン信号処理装置は、映像信号の所定のフィールドの所定の走査線の搬送色信号を抽出する抽出手段（例えば図２の移動平均補正回路４１）と、第１の走査線の第１の搬送色信号と、第１の走査線に隣接する第２の走査線の第２の搬送色信号との相関性に基づいて、クラスコードを生成するクラスコード生成手段（例えば図２の量子化回路４５）と、クラスコードに基づいて、そのクラスに対応する係数のセットを発生する係数発生手段（例えば図２の係数ＲＯＭ４６）と、発生された係数のセットと映像信号とから、ジッタ補正がなされた映像信号を生成する映像信号生成手段（例えば図２の線形１次結合積和演算回路４８）とを備え、クラスコード生成手段は、第１の走査線の第１の搬送色信号と、第１の走査線に隣接する前記第２の走査線の第２の搬送色信号との相関値を演算する演算手段（例えば図２の相関値演算回路４４）を備え、演算手段は、第２の走査線の第２の搬送色信号の代りに、映像信号生成手段によって生成されたジッタ補正された映像信号の第１の走査線の第１の搬送色信号を用いて相関値を演算することを特徴とする。
【００３０】
請求項２に記載のテレビジョン信号処理装置は、係数発生手段が、クラス毎に係数のセットを記憶する記憶手段（記憶部）と、クラスコードに基づいて、そのクラスコードに対応する係数のセットを読み出す読み出し手段（読み出し部）とを有することを特徴とする。
【００３１】
請求項６に記載のテレビジョン信号処理装置は、演算された相関値を量子化し、量子化コードをクラスコードとして発生する量子化手段（例えば図２の量子化回路４５）をさらに有することを特徴とする。
【００３２】
請求項１２に記載のテレビジョン信号処理装置は、映像信号の所定のフィールドの所定の走査線の輝度信号を抽出する抽出手段（例えば図１２のＹ／Ｃ分離回路１０１）と、第１の走査線の第１の輝度信号と、第１の走査線に隣接する第２の走査線の第２の輝度信号との間の動き量に基づいて、クラスコードを生成するクラスコード生成手段（例えば図１２の動き検出回路１０３および量子化回路４５）と、クラスコードに基づいて、そのクラスに対応する係数のセットを発生する係数発生手段（例えば図１２の係数ＲＯＭ４６）と、発生された係数のセットと映像信号とから、ジッタ補正がなされた映像信号を生成する映像信号生成手段（例えば図１２の線形１次結合積和演算回路４８）とを備え、クラスコード生成手段は、第２の走査線の第２の輝度信号の代りに、映像信号生成手段によって生成されたジッタ補正された映像信号の第１の走査線の第１の輝度信号を用いて動き量を演算することを特徴とする。
【００３３】
請求項１３に記載のテレビジョン信号処理装置は、係数発生手段が、クラス毎に係数のセットを記憶する記憶手段（記憶部）と、クラスコードに基づいて、そのクラスコードに対応する係数のセットを読み出す読み出し手段（読み出し部）とを有することを特徴とする。
【００３４】
請求項１８に記載のテレビジョン信号処理装置は、抽出手段が、輝度信号を抽出するＹ／Ｃ分離手段（例えば図１２のＹ／Ｃ分離回路１０１）を有することを特徴とする。
【００３５】
以下に本発明の実施の形態を説明するが、図の中で使用されている“回路”は広義の意味で解釈されるべきであり、本実施の形態に限定されるものではない。つまり、これは、ハードウェア回路、ソフトウェアがロードされたコンピュータによる処理、マイクロプロセッサやマイクロコンピュータ、並びにこれらの組み合わせをも含むものである。
【００３６】
図１は、本発明のテレビジョン信号処理装置を応用したテレビジョン（ＴＶ）受像機２１の一実施の形態の構成を示すブロック図である。なお、以下、テレビジョン放送局からのＮＴＳＣ方式のテレビジョン（ＴＶ）信号を受信した場合について説明するが、本発明はこれに限らず、例えば、民生用のＶＣＲからの再生ＴＶ信号の場合も同様に適用することができる。
【００３７】
テレビジョン放送局からのＮＴＳＣ方式のＴＶ信号は、アンテナ２２で受信され、ＴＶ受像機２１のチューナ３１で、所定のテレビジョン（ＴＶ）放送チャンネルが選局されるようになされている。チューナ３１から出力された映像信号は、時間軸補正回路３２に供給されるようになされている。また、チューナ３１から出力された音声信号は、音声処理回路３３に供給されるようになされている。音声処理回路３３は、入力された音声信号に対して復調、増幅等の処理を施し、スピーカ３５に出力するようになされている。
【００３８】
時間軸補正回路３２は、映像信号に多重化されている搬送色信号を抽出し、所定のライン（走査線）に対応する搬送色信号と、それに隣接するライン（走査線）に対応する遅延された搬送色信号の相関（相関値）を演算する。そして、時間軸補正回路３２は、この相関値の絶対値を最大にする（ジッタを軽減する）遅延時間を求め、この遅延時間に対応する時間だけ遅延した映像信号（ジッタが補正（軽減）された映像信号）を後述する所定の演算式を用いて演算することによって、ジッタを補正した映像信号を生成する。そして、このジッタが補正された映像信号が、映像処理回路３４に出力されるようになされている。映像処理回路３４は、時間軸補正回路３２より供給されたジッタが補正された映像信号に、復調、増幅などの処理を施し、ＣＲＴ（陰極線管）３６に供給するようになされている。
【００３９】
以下、本発明における時間軸補正回路３２の詳細について、図を用いて説明する。
【００４０】
図２は、時間軸補正回路３２の一実施の形態の構成を示すブロック図である。チューナ３１より供給されたＴＶ信号の映像信号は、時間軸補正回路３２の移動平均補正回路４１とＦＩＦＯ（First in First out）回路４２に供給されるようになされている。なお、供給された映像信号は、図示しないＡ／Ｄ（Analog−Digital）変換回路によってデジタル化されたデジタル映像信号として、移動平均補正回路４１とＦＩＦＯ回路４２に供給される。移動平均補正回路４１は、例えば、連続する４つの画素に対応するデジタル映像信号を基に、映像信号に多重化されている搬送色信号を抽出し、信号レベルに１２８を加えることで、０乃至２５５の信号レベルを有する搬送色信号に変換した後、この信号を、ＦＩＦＯ（First in First out）回路４３と相関値演算回路４４に供給するようになされている。
【００４１】
ＦＩＦＯ回路４３は、移動平均補正回路４１より供給された所定のフィールドを構成する所定のラインの搬送色信号を所定の時間だけ遅延させた後、相関値演算回路４４に出力するようになされている。すなわち、ＦＩＦＯ回路４３は、移動平均補正回路４１より供給された所定のラインの搬送色信号を、例えば、１ラインに相当する時間だけ遅延させた後、相関値演算回路４４に出力するようになされている。
【００４２】
相関値演算回路４４は、移動平均補正回路４１より供給された搬送色信号と、ＦＩＦＯ回路４３で遅延された搬送色信号との相関を演算し、その相関値を量子化回路４５に供給するようになされている。
【００４３】
量子化回路４５は、相関値演算回路４４より供給された相関値を適切なレベルにシフトするとともに、丸め処理を行い、整数の量子化コード（クラスコード）に変換して、係数ＲＯＭ４６に出力するようになされている。そして、係数ＲＯＭ４６は、係数を記憶する記憶部と、記憶部に記憶されている係数を読み出す読み出し部とを備え、量子化回路４５より供給された量子化コード（クラスコード）に対応するアドレスに記憶されている各タップに対応する係数のセットを読み出し、線形１次結合積和演算回路４８に供給するようになされている。
【００４４】
ＦＩＦＯ回路４２は、線形１次結合積和演算回路４８に各タップに対応する係数のセットが供給されるまでの期間だけ、ディジタル映像信号を遅延させた後、ブロック化回路４７に出力するようになされている。
【００４５】
ブロック化回路４７は、ＦＩＦＯ回路４２より供給されたデジタル映像信号を、ブロック画素信号、すなわち、注目画素と、注目画素と同じラインでその近傍に位置する複数の画素からなるブロック単位の画素信号に変換し、線形１次結合積和演算回路４８に出力するようになされている。尚、このときブロック画素信号に含まれる画素の数は、係数ＲＯＭ４６から読み出される係数のセットの係数の数と等しい。
【００４６】
線形１次結合積和演算回路４８は、上述したように、係数ＲＯＭ４６より読み出された各タップに対応する係数のセットと、ブロック化回路４７より供給された各タップに対応するブロック画素信号に対し、線形１次結合の処理を行う。すなわち、ブロック画素信号の各画素の画素値に対応する係数を乗じた後、それらのすべての値を加算する処理を施すようになされている。このようにして生成されたディジタル映像信号は、図示しないＤ／Ａ（Digital to Analog）変換回路によってアナログ映像信号に変換された後、出力映像信号として映像処理回路３４に出力されるようになされている。この出力映像信号が、ジッタが補正（軽減）された映像信号となる。
【００４７】
図３は、移動平均補正回路４１の一実施の形態の構成を示すブロック図である。入力されたデジタル映像信号は、移動平均補正回路４１の移動平均算出回路５１とディレイ回路５２に供給されるようになされている。移動平均算出回路５１は、連続した所定の数の画素、例えば、４つの画素に対応する映像信号の平均値を算出し、減算回路５３に出力するようになされている。
【００４８】
減算回路５３は、移動平均算出回路５１より供給された平均値から、複数画素分だけ遅延させるディレイ回路５２より供給された所定の画素に対応する映像信号を減算することで搬送色信号を抽出し、加算回路５４に供給するようになされている。加算回路５４は、入力された搬送色信号に１２８のレベルの信号を加算して、０乃至２５５のうちのいずれかのレベルを有する搬送色信号に変換し、ＦＩＦＯ回路４３と相関値演算回路４４に出力するようになされている。
【００４９】
図４は、ブロック化回路４７の一実施の形態の構成を示すブロック図である。遅延素子６１−１乃至遅延素子６１−ｎのクロック入力端子には、クロックＣＫが供給されるようになされている。遅延素子６１−１の信号入力端子には、ＦＩＦＯ回路４２より供給された映像信号が入力されるようになされている。また、遅延素子６１−２乃至遅延素子６１−ｎの信号入力端子には、それぞれ、前段の遅延素子６１−１乃至遅延素子６１−(ｎ-1)の出力が供給されるようになされている。そして、遅延素子６１−１乃至遅延素子６１−ｎの合計ｎ個の出力（タップの数に対応する出力）が、１ブロックのブロック画素信号として線形１次結合積和演算回路４８に出力されるようになされている。従って、クロックＣＫに同期して、遅延素子６１−１乃至６１−ｎより、それぞれ、１画素ずつ、順番に遅延された信号が、複数（ｎ）画素分同時に、線形１次結合演算回路４８に供給されるようになされている。
【００５０】
図５は、線形１次結合積和演算回路４８の一実施の形態の構成を示すブロック図である。係数ＲＯＭ４６より読み出されたｎ個の係数のセットは、各タップに対応する乗算回路７１−１乃至７１−ｎに供給されるようになされている。また、ブロック化回路４７より供給されたｎ画素分のブロック画素信号は、それぞれ、対応する乗算回路７１−１乃至７１−ｎに供給されるようになされている。
【００５１】
乗算回路７１−１乃至７１−ｎは、供給されたブロック画素信号の各画素値に、与えられた係数のセットのうち対応する係数を乗じた後、加算回路７２に出力するようになされている。加算回路７２は、ブロック単位で、所定の係数が乗じられた、すべての画素信号を加えて、ジッタが補正（軽減）された映像信号を生成し、リミッタ７３に供給するようになされている。この映像信号は、リミッタ７３で、所定の範囲に、信号レベルが限定された後、アナログ映像信号に変換され、出力映像信号として映像処理回路３４に供給されるようになされている。
【００５２】
次に、ＴＶ受像機２１の処理動作について、図６のフローチャートを参照して説明する。
【００５３】
図６のステップＳ１で、所定のＴＶ放送局より放送されているＴＶ信号は、アンテナ２２で受信される。そして、チューナ３１で所定のＴＶ放送チャンネルが選局される。
【００５４】
続くステップＳ２で、チューナ３１は、復調した音声信号を音声処理回路３３に供給するとともに、復調した映像信号を時間軸補正回路３２に供給する。この映像信号は、時間軸補正回路３２の図示しないＡ／Ｄ変換回路によりＡ／Ｄ変換された後、移動平均補正回路４１とＦＩＦＯ回路４２に、デジタル映像信号として供給される。ＦＩＦＯ回路４２は、係数ＲＯＭ４６より各タップに対応する係数のセットが読み出されるまで、デジタル映像信号を遅延させる。
【００５５】
後続のステップ３で、移動平均補正回路４１の移動平均算出回路５１は、連続した４ｍ個の画素に対応する映像信号の平均値を演算する（但し、ｍは1，2，…であり、サンプリングの個数を示している）。連続する４ｍ個の画素の平均値が減算回路５３に入力されたとき、ディレイ回路５２は連続する４ｍ個の画素のうち、中央の画素（注目画素）のデータを出力する。減算回路５３は、両者の差を演算することにより、搬送色信号を抽出し、加算回路５４に出力する。
【００５６】
すなわち、所定のフィールドの同一ラインを構成する連続した画素のデータは、輝度データを値Ｙ、Ｉ信号のデータを値Ｉ、およびＱ信号のデータを値Ｑとすると、Ｙ-Ｉ,Ｙ-Ｑ,Ｙ+Ｉ,Ｙ+Ｑの順番の繰り返しである。従って、例えば、連続した４つの画素のデータが、Ｙ-Ｉ,Ｙ-Ｑ,Ｙ+Ｉ,Ｙ+Ｑである場合、その平均値は、Ｙとなる。４つの画素の中間の画素のデータであるＹ-Ｑ（またはＹ+Ｑ）から上記平均値Ｙ減じることにより、Ｑが得られることになる。従って、得られた値を基にＱ信号のデータを求めることができる。また、それぞれ、Ｙ+Ｉ（またはＹ-Ｉ）の画素に対して同様の演算を行うことにより、Ｉ信号のデータを求めることができる。このようにして、移動平均を算出して輝度データを得、所定の画素のデータを減じることにより、搬送色信号ＱまたはＩを抽出することができる。
【００５７】
加算回路５４は、抽出された搬送色信号に、１２８の信号レベルを加算した後、ＦＩＦＯ回路４３と相関値演算回路４４に出力する。
【００５８】
次に、ステップＳ４で、ＦＩＦＯ回路４３は、移動平均補正回路４１より供給された搬送色信号を１ラインの時間だけ遅延させた後、相関値演算回路４４に出力する。相関値演算回路４４は、移動平均補正回路４１より供給された注目ラインの搬送色信号と、ＦＩＦＯ回路４３より供給された１ラインの遅延時間だけ遅延された搬送色信号の相関を演算し、相関値を量子化回路４５に供給する。
【００５９】
後続のステップＳ５で、相関値演算回路４４より供給された相関値は、量子化回路４５で、適切なレベルにシフトされるとともに、丸め処理が施されて、整数の量子化コードに変換される。すなわち、量子化コードが相関値に対応するクラス（クラスコード）として求められ、このクラスコードが係数ＲＯＭ４６に供給される。
【００６０】
続いて、ステップＳ６で、係数ＲＯＭ４６は、量子化コード（クラスコード）に対応するアドレスに記憶されている各タップに対応する係数のセットを線形１次結合積和演算回路４８に供給する。
【００６１】
ここで、係数ＲＯＭ４６に記憶されているクラス毎の係数のセットの生成方法（学習方法）について、図７、図８及び図９を参照して説明する。
【００６２】
図７は、係数ＲＯＭ４６に記憶されているクラス毎の係数のセットを生成する演算装置（学習装置）８１の一実施の形態の構成を示すブロック図である。
【００６３】
クラス毎の係数のセットを生成するための基準の学習用の映像信号は、その再生時に、ジッタが発生しない（ジッタが充分小さい）デジタルＶＣＲ８２に記録される。そして、デジタルＶＣＲ８２で再生されたデジタル映像信号は、Ｄ/Ａ変換回路８３でアナログ映像信号に変換された後、民生用のＶＣＲ８４に記録される。
【００６４】
次に、ＶＣＲ８４より再生されたジッタを含む所定のシーケンスのアナログ映像信号は、Ａ/Ｄ変換回路８５でデジタル映像信号に変換され、係数決定回路８６に供給される。このとき、ＶＣＲ８４で再生されたシーケンスと同一のシーケンスのデジタル映像信号がデジタルＶＣＲ８２より係数決定回路８６に供給される。係数決定回路８６は、ＶＣＲ８４より供給されたジッタを含む映像信号（デジタル映像信号）からクラス（クラスコード）を求め、そのクラス毎に、ＶＣＲ８４より供給されたジッタを含む映像信号（デジタル映像信号）とデジタルＶＣＲ８２より供給されたジッタを含まないデジタル映像信号とを用いて、正規方程式（線形１次結合式）を立てる。そして、クラス毎に立てられた正規方程式に最小自乗法を適用し、クラス毎の正規方程式を行列解法を用いて解くことにより、クラス毎の予測係数のセットを求めることができる。このクラス毎の係数のセットが、係数ＲＯＭ８７に、そして、そこからさらに係数ＲＯＭ４６に記憶される。
【００６５】
すなわち、係数決定回路８６は、クラス毎の係数のセットを求めるための学習期間に供給された、ＶＣＲ８４より供給されたすべての映像信号（デジタル映像信号）の、所定の２つのライン（走査線）に対応する搬送色信号間の相関値を求め、その相関値を量子化することにより量子化化コード（クラスコード）に変換することで、ＶＣＲ８４より供給された映像信号（例えば、注目画素）に対応するクラスを決定する。そして、その決定された各クラス毎に、教師映像信号（デジタルＶＣＲ８２より供給されたデジタル映像信号）の各注目画素を求める所定の正規方程式（線形１次結合式）を、ＶＣＲ８４より供給された映像信号及びデジタルＶＣＲ８２より供給された映像信号を用いて生成する。そして、クラス毎に生成された正規方程式に最小自乗法を適用し、クラス毎に準備された複数の正規方程式を行列解法を用いて解くことにより、クラス毎の係数のセットを求めるができる。
【００６６】
具体的に、図８のフローチャートを用いて、クラス毎の係数のセットの生成の動作の詳細を説明する。まず、ステップＳ１１において、クラス毎の係数のセットの生成処理（学習処理）が開始され、ステップＳ１２の“データ終了”の判断処理に進み、係数生成処理（学習処理）のための全ての映像信号が終了したがどうかが判定され、その全ての映像信号の処理が終了していない場合には、ステップＳ１３のクラス決定処理に進む。そして、ステップＳ１３において、ＶＣＲ８４より供給された映像信号（注目画素）に対応するクラスを決定するために、図２に示した量子化コード（クラスコード）を決定するための処理動作と同様の処理を実行する。つまり、ＶＣＲ８４から供給された映像信号（デジタル映像信号）の所定のフィールドの所定のラインに対応する搬送色信号と１ライン遅延されたラインに対応する搬送色信号との相関を演算し、その相関値を量子化することにより、量子化コード（クラスコード）を決定する。その詳細は、図２に示した量子化コード（クラスコード）を決定するための処理動作と同様であるため、ここでは省略する。
【００６７】
上述した処理により、クラスコード（量子化コード）が決定され、ステップＳ１４の正規方程式生成処理に進む。ステップＳ１４において、その決定されたクラスコードに対応して、デジタルＶＣＲ８２から供給されたデジタル映像信号（教師映像信号）とＶＣＲ８４から供給された映像信号（デジタル映像信号）とを用いて、後述するような正規方程式が生成され、ステップＳ１２に戻る。このような処理が、全ての映像信号に対して実行され、全ての映像信号の処理が終了した後、ステップＳ１５の係数決定処理に進む。
【００６８】
次に、ステップＳ１５において、後述するように、クラス毎に正規方程式を行列解法を用いて解くことにより、クラス毎の係数のセットが決定される。そして、ステップＳ１６の係数ストア処理に進み、ステップＳ１６において、この決定されたクラス毎の係数のセットが係数ＲＯＭ８７に記憶された後、ステップＳ１７に進み、クラス毎の係数のセットの生成処理（学習処理）が終了する。
【００６９】
図８のフローチャート中のステップＳ１４（正規方程式生成処理）及びステップＳ１５（係数決定処理）の処理をさらに詳細に説明する。
【００７０】
図９に示すように、例えば、所定のラインを構成する画素を画素ａ乃至ｅとすると、所定の学習期間に、上述の方法により算出された相関値により分類されるクラス（クラスコード）毎に、ＶＣＲ８４から供給された映像信号（デジタル映像信号）とデジタルＶＣＲ８２から供給された注目画素の信号値を表すデジタル映像信号（教師映像信号）を、それぞれ、以下に示す行列Ｘまたは行列Ｙとして記憶する。
【００７１】
【数１】
0003719314.tif 000002
【００７２】
つまり、行列Ｘの１つの行は、所定の入力データの組（正規方程式）を表し、その行数は学習期間に記憶したサンプルの数を示している。例えば、行列Ｘの第１行の行列要素ｘ11,ｘ12,ｘ13,ｘ14、およびｘ15は、それぞれ、画素ａ乃至ｅのデータ（画素データ）を表しており、この組で１つの入力データを表している。行列Ｙの１つの行の値は、教師信号の値を表し、その行数は学習期間に記憶したサンプルの数を示している。式（１）と式（２）の場合、所定のクラスに分類されたｎ個（ただし、ｎ＞＞５）の入力データの組がサンプルとして、学習期間に記憶されたことを示している。
【００７３】
そして、式（３）で表される行列Ｗの行列要素（係数）を、方程式Ｙ=ＸＷの誤差が小さくなるように、最小自乗法を用いて決定する。
【００７４】
【数２】
0003719314.tif 000003
【００７５】
ここで、行列Ｗの行列要素の求め方についての簡単な説明を行う。いま、式（４）で表されるエラー行列Ｅを考える。
【００７６】
【数３】
0003719314.tif 000004
【００７７】
すると、残差方程式ＸＷ=Ｙ+Ｅにおいて、各行列要素Wi(i=1,2,3,4,5)の最確値は、最小自乗法により、式（５）を最小にする行列要素Wi(i=1,2,3,4,5)として求めることができる。
【００７８】
【数４】
0003719314.tif 000005
【００７９】
従って、停留原理により、式（６）、すなわち、式（７）が成立する行列要素Wj(j=1,2,3,4,5)を求めることで、最確値を与える行列Ｗ（係数）を生成することができる。
【００８０】
【数５】
0003719314.tif 000006
【００８１】
ここで、残差方程式ＸＷ=Ｙ+Ｅの両辺を、行列要素wj(j=1,2,3,4,5)で偏微分することにより、式（８−１）乃至式（８−５）が得られる。
【００８２】
【数６】
0003719314.tif 000007
【００８３】
従って、式（７）は、式（８−１）乃至式（８−５）を用いて、式（９−１）乃至式（９−５）のように表すことができる。
【００８４】
【数７】
0003719314.tif 000008
【００８５】
式（９−１）乃至式（９−５）と、残差方程式ＸＷ=Ｙ+Ｅを用いて、式（１０−１）乃至式（１０−５）で示す正規方程式が得られる。
【００８６】
【数８】
0003719314.tif 000009
【００８７】
式（１０−１）乃至式（１０−５）は、5個の未知数(w1,w2,w3,w4,w5)を含む5本の方程式であるため、これらの方程式を、例えば、掃き出し法を用いて行列Ｗの行列要素を求めることができる。このようにして求められた、各クラス毎の係数は、係数ＲＯＭ８７（係数ＲＯＭ４６）に記憶される。
【００８８】
以上のようにして、図６のステップＳ５で生成（分類）されたクラスに対応する係数のセットが、ステップＳ６で、係数ＲＯＭ４６から線形１次結合積和演算回路４８に供給されると、後続のステップＳ７で、ＦＩＦＯ回路４２より映像信号がブロック化回路４７に供給される。そして、ブロック化回路４７の各遅延素子６１−１乃至６１−ｎで各タップに対応するブロック画素信号が生成された後、複数の画素から構成されるブロック画素信号は、線形１次結合積和演算回路４８に供給される。線形１次結合積和演算回路４８の乗算回路７１−１乃至７１−ｎは、係数ＲＯＭ４６より読み出された各タップに対応する係数を用いて、ブロック化回路４７より供給されたブロック画素信号各々に対し、対応する係数を乗じて、加算回路７２に出力する。加算回路７２は、これらの信号を加え合わせた後、リミッタ７３に供給する。
【００８９】
例えば、図９に示すラインの場合、注目画素ｃの信号値を求めるとき、ブロック化回路４７より供給された画素ａ乃至ｅに対応するブロック画素信号に対し、係数ＲＯＭ４６から読みだした画素ａ乃至ｅに対応する係数を乗じて、それらを加えた信号をリミッタ７３に出力する。具体的には、例えば、画素ａ乃至ｅに対応する係数が、それぞれ、0,0,1,0,0であり、その画素値がＡ，Ｂ，Ｃ，Ｄ，Ｅである場合、注目画素ｃの信号値は、0*Ａ+0*Ｂ+1*Ｃ+0*Ｄ+0*Ｅ=Ｃとなり、この信号がリミッタ７３に供給される。また、例えば、画素ａ乃至ｅに対応する係数が、それぞれ、0,1,0,0,0である場合、注目画素ｃの信号値は、0*Ａ+1*Ｂ+0*Ｃ+0*Ｄ+0*Ｅ=Ｂとなる。このように、係数ＲＯＭ４６に記憶された係数により、映像信号の所定の走査線の画素を所定の時間だけ、進ませたり、遅延させたりすることができる。
【００９０】
そして、加算回路７２で１つの信号にまとめられた映像信号は、リミッタ７３で、その信号レベルの範囲が制限された後、図示しないＤ／Ａ変換回路によりアナログ映像信号に変換され、そのアナログ映像信号が映像処理回路３４に出力される。このようにして、ジッタを補正した映像信号が生成される。
【００９１】
後続のステップＳ８で、時間軸補正回路３２より出力された映像信号は、映像処理回路３４で、復調、増幅などの所定の処理が施された後、ＣＲＴ３６に出力される。また、チューナ３１から音声処理回路３３に入力された音声信号は、音声処理回路３３で復調、増幅などの所定の処理が施された後、スピーカ３５に出力される。
【００９２】
図１０は、時間軸補正回路３２を用いて、図１３に示した搬送色信号と同一の搬送色信号を補正した信号を示している。図１０において、所定のフィールドの第１９８ラインに対応する搬送色信号は実線で、第２００ラインに対応する搬送色信号は点線で、第２０２ラインに対応する搬送色信号は一点鎖線で、それぞれ、示してある。
【００９３】
また、図１０に示した第１９８ラインの搬送色信号と第２０２ラインの搬送色信号の相関値、第１９８ラインの搬送色信号と第２００ラインの搬送色信号の相関値、および第２００ラインの搬送色信号と第２０２ラインの搬送色信号の相関値を求めると、それぞれ、0.968523,-0.968028,または-0.972247となった。これらの値は、図１３における値と比較し、その絶対値の値が大きくなっている。従って、時間軸補正回路３２より出力される搬送色信号は、ジッタが軽減された良質の画質を実現する信号となる。
【００９４】
図１１は、時間軸補正回路３２の他の実施の形態の構成を示すブロック図である。図１１の時間軸補正回路３２において、図２の場合と対応する部分には、同一の符号を付してあり、その説明は適宜省略する。
【００９５】
図１１に示す時間軸補正回路３２においては、スイッチ９２が端子９２ｂ側に接続されているとき、線形１次結合積和演算回路４８の出力（デジタル映像信号）を、移動平均補正回路８１に供給する。移動平均補正回路８１は、移動平均補正回路４１の処理動作と同様の処理動作により、輝度成分を取り除き、スイッチ９２の端子９２ｂを介してＦＩＦＯ回路４３に供給するようになされている。すなわち、スイッチ９２は、最初のラインの処理のときのみ、端子９２ａ側に接続されており、２番目以降のラインの処理のときは、端子９２ｂ側に接続されるようになされている。従って、２番目以降のラインの相関値を求める処理においては、既に、ジッタ補正の処理が行われた、その直前のラインの搬送色信号がＦＩＦＯ回路４３で１ライン分遅延され、この搬送色信号（ジッタ補正後の映像信号）との比較により、相関値が求められる。なお、図１１の時間軸補正回路３２の他の処理動作は、図２の時間軸補正回路３２の処理動作と、同様の処理であるため、その説明は省略する。
【００９６】
図１２は、時間軸補正回路３２のさらに他の実施の形態の構成を示すブロック図である。図１２において、図１１の場合と対応する部分には、同一の符号を付してあり、その説明は適宜省略する。
【００９７】
図１２の時間軸補正回路３２においては、図１１の時間軸補正回路３２の移動平均補正回路４１，８１と、相関値演算回路４４に代えて、Ｙ／Ｃ分離回路１０１，１０２と、動き検出回路１０３が設けられている。その他の構成は、図１１における場合と同様である。
【００９８】
所定のラインと、それに隣接するラインにおいては、ジッタが少なければ相関が高いので、両者の間における動きは小さいことになる。従って、ジッタが多ければ、相関が少なくなり、動きが大きくなる。そこで、動きから２つのラインの相関（ジッタ）を判定することができる。図１２の例はこの原理に基づいている。
【００９９】
そこで、図１２の例においては、Ｙ／Ｃ分離回路１０１またはＹ／Ｃ分離回路１０２で輝度信号（Ｙ信号）が分離され、この輝度信号が動き検出回路１０３とスイッチ９２を介してＦＩＦＯ回路４３に供給される（但し、Ｙ／Ｃ分離回路１０１からＦＩＦＯ回路４３に供給される輝度信号は、最初のラインのみで、２番目以降のラインの相関値を求める処理においては、既に、ジッタ補正の処理が行われた、Ｙ／Ｃ分離回路１０２からの輝度信号となる）。
【０１００】
そして、動き検出回路１０３は、Ｙ／Ｃ分離回路１０１より入力される輝度信号と、ＦＩＦＯ回路４３より入力される１ライン前の輝度信号の動きを検出する。この動きは、ジッタが多ければ大きくなり、少なければ小さくなるので、係数ＲＯＭ４６からこの動き（相関）に対応する係数を出力することで、上述した場合と同様の動作を実現することができる。なお、この場合の係数ＲＯＭ４６に記憶されているクラス毎の係数のセットを学習処理によって求める際に決定されるクラスは、Ｙ／Ｃ分離回路及び動き検出回路を用いて求められることは言うまでもない。
【０１０１】
このようにして、従来の図１４に示す構造のＴＢＣ１を用いずに、ＴＶ信号に含まれているジッタを軽減させることができる。
【０１０２】
また、図２に示す時間軸補正回路３２は、図１４に示すような書き込みクロック発生回路（ＰＬＬ）１３を用いずに構成することができる。
【０１０３】
なお、上記実施の形態においては、係数ＲＯＭ４６に記憶する係数は、最小自乗法を用いて求めるようにしたが、他の方法を用いて求めた係数を記憶させるようにしてもよい。また、本発明は、ＴＶ受像機の他、ＶＣＲやその他の電子機器などにも応用することができる。
【０１０４】
また、上述したように、本発明の実施の形態において、所定の注目画素に対して、クラスコードを決定しているが、本発明はこれに限らず、所定のブロック毎に、クラスコードを決定するようにしてもよい。
【０１０５】
さらに、本発明の実施の形態は、ブロック図を用いてハードウェアをして実現しているが、本発明はこれに限らず、ＣＰＵやメモリなどを用いてソフトウェアで実現することも可能である。
【０１０６】
なお、上記したような処理を行うプログラムをユーザに伝送する伝送媒体としては、磁気ディスク、CD-ROM、固体メモリなどの記録媒体の他、ネットワーク、衛星などの通信媒体を利用することができる。
【０１０７】
なお、本発明の主旨を逸脱しない範囲において、さまざまな変形や応用例が考えうる。従って、本発明の要旨は、実施の形態に限定されるものではない。
【０１０８】
【発明の効果】
以上のように、請求項１に記載のテレビジョン信号処理装置、請求項１０に記載のテレビジョン信号処理方法、および請求項１１に記載の記録媒体によれば、第１の走査線と、第１の走査線に隣接する第２の走査線の相関を表す相関値を演算し、その相関値を量子化することにより得られたクラスコードに基づいて読み出された係数を入力映像信号との線形１次演算に適用して、所定の遅延時間に対応する前記テレビジョン信号を生成するようにし、また、クラスコードの生成においては、第１の走査線の第１の搬送色信号と、第１の走査線に隣接する第２の走査線の第２の搬送色信号との相関値を演算し、その演算を、第２の走査線の第２の搬送色信号の代りに、ジッタ補正された映像信号の第１の走査線の第１の搬送色信号を用いて行うようにしたので、テレビジョン信号に含まれている時間軸変動を確実に補正することができる。
【０１０９】
また、請求項１２に記載のテレビジョン信号処理装置、請求項２１に記載のテレビジョン信号処理方法、および請求項２２に記載の記録媒体によれば、第１の走査線と、第１の走査線に隣接する第２の走査線の動き量を検出することにより得られたクラスコードに基づいて読み出された係数を入力映像信号との線形１次演算に適用して、所定の遅延時間に対応する前記テレビジョン信号を生成するようにし、また、クラスコードの生成においては、第２の走査線の第２の輝度信号の代りに、ジッタ補正された映像信号の第１の走査線の第１の輝度信号を用いた動き量の演算を行うようにしたので、テレビジョン信号に含まれている時間軸変動を確実に補正することができる。
【図面の簡単な説明】
【図１】本発明におけるテレビジョン信号処理装置を応用したＴＶ受像機２１の一実施の形態の構成を示すブロック図である。
【図２】図１の時間軸補正回路３２の一実施の形態の構成を示すブロック図である。
【図３】図２の移動平均補正回路４１の一実施の形態の構成を示すブロック図である。
【図４】図２のブロック化回路４７の一実施の形態の構成を示すブロック図である。
【図５】図２の線形１次結合積和演算回路４８の一実施の形態の構成を示すブロック図である。
【図６】図１のＴＶ受像機２１の処理動作を説明するフローチャートである。
【図７】係数ＲＯＭ４６に記憶されているクラス毎の係数のセットを生成する演算装置８１の一実施の形態の構成を示すブロック図である。
【図８】係数ＲＯＭ４６に記憶されているクラス毎の係数のセットを生成するための処理動作を示すフローチャートである。
【図９】所定のラインの注目画素に対応する信号値の算出方法を説明する図である。
【図１０】図２の時間軸補正回路３２によりジッタが補正された、所定の走査線に対応するＴＶ信号を示すグラフである。
【図１１】図１の時間軸補正回路３２の他の実施の形態の構成を示すブロック図である。
【図１２】図１の時間軸補正回路３２のさらに他の実施の形態の構成を示すブロック図である。
【図１３】ジッタが含まれている所定の走査線に対応するＴＶ信号を示すグラフである。
【図１４】従来のＴＢＣの一例の構成を示すブロック図である。
【符号の説明】
１  ＴＢＣ，  １１  Ｈ/Ｖ同期分離回路，  １２  Ａ/Ｄ変換回路，  １３  書き込みクロック発生回路，  １４  メモリ，  １５  書き込みアドレスカウンタ，  １６  Ｄ/Ａ変換回路，  １７  読み出しアドレスカウンタ，  １８  ジャンプ検出回路，  １９  読み出しクロック発生回路，  ２１  ＴＶ受像機，  ２２  アンテナ，  ３１  チューナ，  ３２  時間軸補正回路，  ３３  音声処理回路，  ３４  映像処理回路，  ３５  スピーカ，  ３６  ＣＲＴ，  ４１  移動平均補正回路，  ４２，４３  ＦＩＦＯ回路，  ４４  相関値演算回路，  ４５  量子化回路，  ４６  係数ＲＯＭ，  ４７  ブロック化回路，  ４８  線形１次積和演算回路，  ５１  移動平均算出回路，  ５２  ディレイ回路，  ５３  減算回路，  ５４  加算回路，  ６１−１乃至６１−ｎ  遅延素子，  ７１−１乃至７１−ｎ  乗算回路，  ７２  加算回路，  ７３  リミッタ，  ８１  演算装置，  ８２  デジタルＶＣＲ，  ８３  Ｄ/Ａコンバータ，  ８４  ＶＣＲ，  ８５  Ａ/Ｄ変換回路，  ８６  係数決定回路，  ９１  移動平均補正回路，  ９２  スイッチ
【図１】
0003719314.tif 000010
【図２】
0003719314.tif 000011
【図３】
0003719314.tif 000012
【図４】
0003719314.tif 000013
【図５】
0003719314.tif 000014
【図６】
0003719314.tif 000015
【図７】
0003719314.tif 000016
【図８】
0003719314.tif 000017
【図９】
0003719314.tif 000018
【図１０】
0003719314.tif 000019
【図１１】
0003719314.tif 000020
【図１２】
0003719314.tif 000021
【図１３】
0003719314.tif 000022
【図１４】
0003719314.tif 000023